(57)【要約】【課題】マスメモリ内に記憶されたデータのセットの適応選択を行う方法及び装置を提供する。【解決手段】少なくとも、データのセットが変更され、消去され、又は読み出されたときに、一時メモリにふくまれる、前記データのセットの管理情報を変更し、変更された管理情報を管理メモリに記憶し、管理情報の少なくとも一部を所定の基準に基づき評価して適応選択された対応するデータのセットを得、該適応選択されたデータのセットを一時メモリからマスメモリに転送し、前記マスメモリと前記一時メモリと前記管理メモリが同じ情報媒体上にあり、前記情報媒体がシーケンシャル情報媒体であり、前記評価に従って分類された前記管理情報のリストにもとづいて、前記マスメモリ上のデータのセットを新たに配列する。【選択図】図６
2007059053.tif 000002
【特許請求の範囲】
【請求項１】
少なくとも、データのセットが変更され、消去され、又は読み出されたときに、一時メモリにふくまれる、前記データのセットの管理情報を変更し、
変更された管理情報を管理メモリに記憶し、
管理情報の少なくとも一部を所定の基準に基づき評価して適応選択された対応するデータのセットを得、
該適応選択されたデータのセットを一時メモリからマスメモリに転送し、
前記マスメモリと前記一時メモリと前記管理メモリとが同じ情報媒体上にあって該情報媒体がシーケンシャル情報媒体であり、
前記評価に従って分類された前記管理情報のリストにもとづいて、前記マスメモリ上のデータのセットを新たに配列する、データのセットの適応選択を得る方法。
【請求項２】
前記シーケンシャル情報媒体は磁気テープである請求項１に記載の方法。
【請求項３】
前記一時メモリは再書込み可能である請求項１に記載の方法。
【請求項４】
マスメモリと、
データのセットをふくむ一時メモリと、
管理メモリと、
データのセットのユーザによる選択に応答して前記一時メモリのデータのセットを読み出す手段と、
該読み出しの結果のデータのセットに関連する管理情報を変更する手段と、
変更された管理情報を管理メモリに記憶する手段と、
管理情報の少なくとも一部を評価して該評価に基づいて選択されたデータのセットを得る評価手段と、
該選択されたデータのセットを一時メモリからマスメモリに複写する転送手段と、
前記マスメモリ上のデータのセットを再編成メモリにコピーし、前記評価に従って分類された前記管理情報のリストにもとづいて再編成されたデータのセットを該再編成メモリから前記マスメモリにコピーする手段と、
を有し、
前記マスメモリと前記一時メモリと前記管理メモリが同じ情報媒体上にあって該マスメモリがシーケンシャル情報媒体の上にある装置。
【請求項５】
前記シーケンシャル情報媒体は磁気テープである請求項４に記載の装置。
【請求項６】
前記一時メモリは再書込み可能である請求項４に記載の装置。
【請求項７】
前記再編成メモリはランダムアクセスメモリである請求項４に記載の装置。
【発明の詳細な説明】
【技術分野】
【０００１】
本発明はマスメモリ内に記憶されたデータのセットに対し適応選択を行う方法に関する。この方法により、データのセットに関する管理情報を使用することができ、データのセットを分類したリストを得ることができる。本発明は、さらにマスメモリ内に記憶されたデータのセットに対し適応選択を行うための装置にも関する。
【背景技術】
【０００２】
マスメモリは比較的大容量のデータを記憶できるメモリである。マスメモリは、具体的には、種々の形態で、特に半導体回路やホログラフィックメモリ（線、表面又は体積密度を有するメモリ）、磁気媒体、さらに、いわゆる書き換え可能又は不可能な光学媒体の形で実現されている。
【０００３】
マスメモリの容量、即ち記憶可能なデータの量、の増加は、近年、止まることがない。これは、特に、半導体回路の小型化や種々の媒体上に記憶できる情報の密度増加という理由からである。メモリ容量が増加することにより、これらのメモリの使用者は、そのメモリ内に記憶される多数のデータを管理しアクセスしなければならない。それ故、光ディスクの形態のマスメモリはセットに分類された多数のデータ、例えば使用者が通常シーケンシャルな順序でアクセスできる歌、を含んでいるかもしれない。使用者が光ディスク読み取り装置のファンクション《リード》を押すと、読み取り装置は、歌にアクセスし、一般にはディレクトリに含まれた一定の順序である所定の順序でこれを再生する。このように、使用者はファンクション《リード》を押す度に、歌を同じ順序で何度も聞くことができる。
【０００４】
例えば１番目の歌を聞きたくない場合、使用者は、１回又は多数回ファンクション《ネクスト  ソング》を押すことによりディレクトリ内に含まれる他の歌を手動で選択してアクセスする。使用者は、多数の歌の始まり部分を聞いて、所望の歌又は聞くべき新しい曲を捜すかもしれない。
【０００５】
幾つかの選択装置によれば、使用者は、前もって一定の方法で、各リスニングセッションの前に歌のリストを選択することができる。これらの装置は、一般にプログラム予約装置として知られている。
【０００６】
歌の選択は、メモリが多数の歌、例えば１０００曲の歌、を含む場合、骨の折れる時間のかかる作業となるであろう。
【発明の開示】
【発明が解決しようとする課題】
【０００７】
本発明は比較的大容量のマスメモリ内でデータのセットの選択の難しさを解決することを提案している。より詳細には、この難しさはデータのセットの数と共に増加する使用者の介入の回数にあり、その結果、使用者がデータのこれらのセットを選択することに要する時間にある。さらに、使用者は自分が選択したいデータのセットの概略又は詳細な本質を知る必要があり、これはマスメモリ内でこれらセットの数が増えるときには、より困難にさらには不可能となる。
【課題を解決するための手段】
【０００８】
前述の選択の難しさに対する解決策は、本発明によれば、マスメモリ内に含まれたデータのセットの適応選択を行う方法にある。この方法は、少なくともデータのセットが変更か、消去か、又は読み出された時、データのセットの管理情報を変更するステップと、管理メモリ内に変更された管理情報を記憶するステップと、所定の基準に従い管理情報の少なくとも一部を評価するステップと、データの対応するセットに適応選択を行うステップとを備えている。
【０００９】
適応選択を行うこの方法は、使用者がデータのセットにアクセスする習慣及び／又は使用者のその時の好みを考慮して自動的にデータのこれらのセットの選択を行うことを可能とする。それ故、データのセットが歌又は映画のシーケンスである場合、適応選択は、使用者の特別な感動を先導することによって雰囲気を思い出させることを可能とする。
【００１０】
本発明の好ましい実施態様によれば、適応選択を行う方法は、さらに少なくともこの新しいセットが変更、消去、又は読み出された時マスメモリと異なる一時メモリに含まれている、データの新しいセットの新しい管理情報の変更を予測する。新しく変更された情報は管理メモリに記憶され、関心のある所定の基準に従い評価されデータの対応する新しいセットに対する実際の選択を行う。実際の選択のデータの新しいセットは一時メモリからマスメモリに転送される。
【００１１】
データのセットの使用者がデータの多量の新しいセットを受けた場合、これらのセットはただちにはマスメモリには記憶されない。この方法では、新しいセットの中から関心のある所定の基準に基づき使用者がアクセスするセットのみ保存し、選択された新しいセットをマスメモリの中にコピーする。
【００１２】
本発明の好ましい実施態様によれば、適応選択を行う方法は適応選択が行われたデータのセットを所定の階層の順序で分類するステップを備えこれらのデータの分類リストを得る。
【００１３】
所定の階層は例えば、使用者が時間の正確な期間の間にデータのそれぞれのセットにアクセスした回数に関係している。
【００１４】
本発明が克服しようとする他の問題は、マスメモリ内のデータのセットの配列を改善することである。この配列はデータのセットがシーケンシャルに記憶された時と、データのあるセットが他のセットより大きな重要性を有して使用される場合に、特に役割を果たす。
【００１５】
この他の問題に対する解決するために、本発明のデータのセットを配列する方法は、マスメモリ内に含まれるデータのセットをシーケンシャルに配列しておき、適応選択を行うことによりデータのセットの少なくとも一部に対し分類されたリストを作りさらに所定の階層順序に基づき該分類されたリストをマスメモリ内にシーケンシャルに配列するステップを備えている。
【００１６】
前述の選択の難しさに対する解決策は、本発明によれば、マスメモリ内に含まれたデータのセットを選択する適応選択に対する装置に示されており、該マスメモリは第１の読み出し装置を使用して少なくとも読み出すことができる。該装置は少なくとも書き換え型管理メモリを備えデータのセットを管理する情報を含んでいる。該装置はさらに、少なくともデータのセットが変更、消去、又は読み出される時該データのセットの管理情報を変更する手段と、１以上の所定の基準に基づき管理情報を評価する評価手段と、該評価手段を使用して得られるデータのセットの適応選択を記憶する記憶手段とを備えている。
【００１７】
本発明の好ましい実施態様によれば、該装置はデータの新しいセットを含む一時メモリと、一時メモリ内のデータの該新しいセットを読み出す手段と、少なくとも新しいセットが変更、消去又は読み出された時新しいセットの新しい管理情報を変更する手段と、データの新しいセットの実際の選択を行うため関心のある１以上の所定の基準に基づく新しい管理情報を評価する手段と、一時メモリから実際に選択したデータの新しいセットをマスメモリにコピーする転送手段とを備えている。
【００１８】
最初に、データの新しいセットは、一時的に記憶される。次いで、使用者がこれら新しいセットの幾つかに対して持った関心に基づき、これら新しいセットは選択されてマスメモリ内にコピーされる。このように、マスメモリは、使用者にとって関心の無いデータのセットによって散らかされることはない。
【００１９】
本発明の他の好ましい実施態様によれば、マスメモリ、一時メモリ及び管理メモリは同じ情報媒体上にある。
【００２０】
本発明の他の好ましい実施態様によれば、マスメモリはデータのセットがシーケンシャルに配置されたシーケンシャルな情報媒体上にある。
【００２１】
シーケンシャルな情報媒体は、例えば磁気テープである。
【００２２】
本発明の他の好ましい実施態様によれば、適応選択に対する装置は１以上の所定の基準を選択する手段を備えている。
【００２３】
所定の基準は異なる種類の場合がある。使用者は自分の環境の状況に基づく適当な基準を選ぶ。
【００２４】
本発明の他の好ましい実施態様によれば、適応選択に対する装置は多数の管理メモリと、これらの管理メモリの１つを選ぶ手段があり、変更の手段、記憶の手段及び評価の手段は該選ばれた管理メモリの管理情報上で動作する。
【００２５】
選択の装置はこのように多数の使用者が同じマスメモリ内に含まれたデータのセットを使用することを可能とし、各使用者は自分の管理メモリを使用する。
【００２６】
本発明の他の好ましい実施態様によれば、該選択の装置は適応選択の中に含まれるデータのセットの管理情報を階層に形成する手段を備え、これらのセットの分類されたリストを得る。
【００２７】
上記の他の問題に対する解決方法として、本発明はシーケンシャル情報媒体上にシーケンシャルにデータのセットを配列する手段を有したデータのセットを配列する装置を提案している。この装置は、適応選択の装置、マスメモリと異なる再編成メモリ、マスメモリからのデータを再編成メモリ及び周囲の他の方法にコピーする手段、分類されたリスト内のデータのセットの順序に対応したシーケンシャルな順序に情報媒体上のデータのセットを配列する手段とを備えている。
【００２８】
選択の装置及び配列の装置はそれぞれマスメモリのプレーヤ／レコーダの中に含まれ、使用者がマスメモリ内に含まれたデータのセットにアクセスすることが容易である。
【発明を実施するための最良の形態】
【００２９】
図１は本発明に基づく適応選択を行う方法で実施されるステップの順序を示している。適応選択１を行う方法は、ステップ２において、データのセットに関連してマスメモリ３に含まれる管理情報を、少なくとも、データのこのセットが変更され、消去され、又は読み出される時毎に、変更する。例えば、データのセットはマスメモリ内に記憶された歌であり、該歌は次の表１に示すようにＣ１からＣｎまで番号が付けられている。
【００３０】
【表１】
2007059053.tif 000003
【００３１】
全ての歌Ｃ１，…，Ｃｎは、対応する管理情報を有している。該管理情報は所定の情報とパラメータ情報とを有している。変更された管理情報は記憶５の間に管理メモリ４に記憶される。
【００３２】
所定の情報は、例えば歌のタイプ（Ａ，Ｂ，…）及び／又は歌の発行年（１９７５、１９９２、…）である。所定の情報は、一般に、例えば歌が初めにマスメモリに記憶された時（図１に示していないステップにおいて）、各歌に付けられた定数である。これは、記憶５への介入により、例えば以前にタイプＡを有していた歌を新しいタイプＢにすることにより、所定の情報が後ほど変更されることを除外しない。一般に、所定の情報は、使用者がデータのセットを読み出すためこのデータのセットにアクセスすることによっては、変わらない。
【００３３】
歌に関連するパラメータ情報は、使用者が、特にこの歌を読み出す場合等に、この歌にアクセスすることにより定まる。これらパラメータ情報は、例えばリスニングの日付けであり、歌にアクセスが行われた時間である。パラメータ情報は、マスメモリ内の歌が読み出される毎に変わり、従って、変更２のステップを用いて更新されねばならない。
【００３４】
表１に示したリスニングの日付けと時間は仮定の値であり、適応選択を行う方法の進行がどのように行われるか説明するためのものである。
【００３５】
管理メモリ４に含まれているパラメータ情報の更新は、歌Ｃ１，…，Ｃｎの読み出しで行われる。読み出しのときに、歌Ｃ１，…，Ｃｎに対するリスニングの日付けと時間６が決定される。このように、歌Ｃ１，…，Ｃｎのリスニングの日付けと時間に関するパラメータ情報は、管理メモリ４内で変更され、記憶される。歌Ｃ１に対応する表１の行は、リスニングの日付け／時間に関する一連の情報を含んでいる。この情報によれば、その歌は、１９９７年２月１日９時と、１９９７年２月４日１９時とに聞かれて（リスニングされて）いる。
【００３６】
管理メモリの容量の点から、この管理メモリ４に記憶されたパラメータ情報の量を制限するため、それぞれの歌に対するリスニング日付け／時間に対する時間の組み合わせの数を最大値で制限することが可能である。ある歌について、この最大値に到達し、新しい日付け／時間の情報の組をこの歌について記憶する必要があるときは、この歌について最も古いリスニングの日付け／時間の情報の組がまず記憶ステップ５で消去され、新しい情報の組が同じ記憶ステップ５で記憶される。
【００３７】
管理情報の評価７は、各記憶ステップ５の後、必要とされる毎に行われる。管理情報の評価７により、データのセットの適応選択１を行うことが可能となる。適応選択１は、歌Ｃ１，…，Ｃｎのどれを読み出し、再生する必要があるかを、マスメモリの読み出し装置（図示していない）に指示するため、後に使用される。
【００３８】
評価７は非常に多くの種類になり得る所定の基準に基づいて行われる。所定の基準として可能性のある例は、歌Ｃ１，…，Ｃｎが所定期間Ｐの間に聞かれているかである。
【００３９】
評価７の例は、図２の構成図に示されている。評価７は、各歌について聞いた（リスニングの）日付けに関するパラメータ情報を分析し、所定期間Ｐ内に聞いた歌を選択することからなる。これを行うため、索引Ｎは初期化ステップ８で値０に設定され、この索引Ｎの値は増分ステップ９で１だけ増大される。索引Ｎは、（図示していない）マスメモリ内に含まれた歌の数ｎと、比較ステップ１０において比較される。索引Ｎがｎ以下の場合、歌ＣＮを聞いた日付けの分析ステップ１１は、歌ＣＮが所定期間Ｐ内に聞かれたかどうかを決定する。肯定の場合、歌ＣＮが選択され、仮の選択１２に加えられ、索引Ｎはループ１３の出口にある増分ステップ９で１だけ増大される。否定の場合、即ち歌ＣＮが所定期間Ｐ内で聞かれていない場合、増分ステップ９がループ１３の出口で直ちに行われる。比較ステップ１０により、索引Ｎがｎ（小文字）より大きな値を有することが判別されると、仮の選択１２がコピーステップ１４により適応選択１にコピーされる。
【００４０】
図３はステップ１５と１６を示しており、これらのステップにより、適応選択１に含まれる歌が階層の順序に分類される。この階層の順序は、例えば、所定期間Ｐ内に歌Ｃ１，…，Ｃｎを聞いた頻度の値ＦＣ１，…，Ｃｎの順序に対応している。
【００４１】
ステップ１５は、それぞれの歌ＣＮを所定期間Ｐの間に聞いた回数を決定するため、適応選択１の中から歌を聞いた日付けを分析し、それぞれの歌に対し所定期間Ｐ内に含まれる日数により、この回数を割算し、聞いた頻度の値ＦＣ１，…，ＦＣｎを得る。
【００４２】
次のステップ１６により、これらの値ＦＣ１，…，ＦＣｎに基づき、適応選択１の歌を分類し、歌の分類リスト１７が得られる。
【００４３】
図３に示されており表１に含まれる歌に適用されるステップ１５は、１９９７年２月１日から２月１２日の１２日の期間Ｐに聞いた頻度ＦＣ１＝３／１２，ＦＣ２＝１／１２，ＦＣ３＝２／１２、…、ＦＣｎの値を出力する。ステップ１６において対応する歌を聞いた頻度の減少順に分類することにより、Ｃ１，Ｃ２，及びＣ３に対し分類リスト［Ｃ１，Ｃ３，Ｃ２］を得る。
【００４４】
他の所定の基準が評価７の間に適用されるかもしれない。例えば、他の所定基準は、歌を聞くリスニング時間の規定された範囲である。一例として、この範囲は、８：００から１０：００の間のリスニング時間をカバーしており、表１から歌Ｃ１及びＣ３のみが選択される。
【００４５】
評価７の他の実施形態では、複数の所定基準が組み合わされる。例えば、最初に、所定期間Ｐ内の歌に対するリスニング基準が適用され、続いて、リスニング時間の範囲の基準が適用される。
【００４６】
評価７の間に利用された所定の基準がパラメータ情報に適用される場合、適応選択は、使用者が過去の期間において歌を聞いたときの行動を反映している。このため、特定の使用者により使用され読み出されたマスメモリ３について、この特定の使用者に特有の管理メモリ４が使用されることが有益である。
【００４７】
さらに、所定の情報を評価するため、所定の基準を適用することも可能である。例えば、その基準は、歌のタイプ（Ａ，Ｂ，…）であるかもしれない。所定の情報とパラメータ情報とに適用できる所定の基準の組み合わせは、使用者の行動をよりよく考慮に入れるために、起こり得る。
【００４８】
図４は適応選択を行う方法のステップのシーケンスを示しており、図１に示す複数のステップと、変更ステップ１８とを備えている。このシーケンスでは、マスメモリ３と異なる一時メモリ１９に含まれたデータの新しいセットに関連した新しい管理情報が、少なくとも新しいセットに変更、消去、又は読み出しがあった時に変更される。記憶ステップ２０により、新しく変更された情報が管理メモリ４に記憶される。データの新しいセットは、例えば、使用者が見つけたい新しい歌である。
【００４９】
新しい管理情報は、使用者が一時メモリ１９内の新しい歌にアクセスしその歌を読み出して聞く時と、一時メモリ１９の内容が変更される毎とに、変更ステップ１８内で変更される。この新しい管理情報は、関心のある所定の基準に従って評価ステップ２１で評価される。関心のある所定の基準は、例えば正確な期間内に新しい歌を聞く頻度かもしれない。それ故、正確な時間の期間内にしばしば聞かれる新しい歌は、新しい歌の実際の選択２２の対象となる。実際の選択２２に係る新しい歌は、転送ステップ２３において、一時メモリ１９からマスメモリ３にコピーされる。一時メモリ１９が書き換え可能型の場合、このメモリは、外部メモリ２５から与えられる他の新しい歌を供給ステップ２４によりこのメモリ内に記憶するべく、新しい歌をコピーした後、再び使用することができる。
【００５０】
図５は、マスメモリ内に含まれるデータＣ１，Ｃ２，Ｃ３，…，ＣＮのセットを配列する方法の構成図を示している。配列の前においては、データのセットは、２６Ａに示す［Ｃ１，Ｃ２，…，ＣＮ］の順序でシーケンシャルに配列されている。分類リスト１７を得た後、配列ステップは、マスメモリ内のデータのセットを、分類リスト１７に使用された階層の所定の順序に従って配列する。前述したリスニングの頻度の減少の順序でセットを分類する例に従って、データのセットは、２６Ｂに示すように［Ｃ１，Ｃ３，Ｃ２，…，Ｃｘ］の順序で配列される。
【００５１】
図６は、磁気テープ２９のプレーヤ／レコーダ２８と共に使用される適応選択の装置を概略的に示している。磁気テープ２９は、マスメモリ３０及び管理メモリ３１としてのシーケンシャル及び書き換え可能型情報媒体として使用されている。例えば歌の場合、データのセットは、マスメモリ３０内に記憶される。プレーヤ／レコーダ２８は、マイクロプロセッサ３２により起動され、磁気テープ２９からの歌を読み出す。このように読み出された歌は、オーディオ信号として、歌を再生する再生手段３３に送られる。
【００５２】
例えば所定の情報とパラメータ情報とを備えた管理情報は、少なくとも歌が変更、消去、又は読み出された時毎に、マイクロプロセッサ２８により変更される。好ましい実施形態において、マイクロプロセッサ３２は、１つ又は複数の歌を読み出す前に、管理情報を管理メモリ３１からランダムアクセスメモリ３４にコピーする。このように、マイクロプロセッサ３２は、ランダムアクセスメモリ３４内の所定の及び／又はパラメータ管理情報を、マスメモリ３０のプレーヤ／レコーダ２８による読み出しとは独立して、いつでも変更できる。マイクロプロセッサ３２は、特にプレーヤ／レコーダ２８が歌を読み出さない時、変更された管理情報を管理メモリ３１に周期的に記憶し、これにより古い管理情報を更新する。ランダムアクセスメモリ３４内にコピーされた管理情報も、適当なコマンド又は選択手段（図示していない）を使用し、マイクロプロセッサ３２に対する使用者３５の介入により変更され得る。
【００５３】
マイクロプロセッサ３２は、リスニング時間と日付けをパラメータ情報に変換することにより、管理情報源としてクロック及び／又はカレンダ（図示していない）を使用し得る。
【００５４】
さらに、マイクロプロセッサ３２は、例えば、歌の各読出しの後、即ち歌が使用者３５の必要により要求された後、１つの又は多くの所定の基準に基づいて管理情報を評価する。１つ又は多くの所定の基準は、マイクロプロセッサ３２が自動的に適用するデフォルト基準、又は使用者３５が選択手段（図示していない）を使用して選択する基準であるかもしれない。マイクロプロセッサ３２は、例えばメモリ３４から管理情報を読み出し、１つ又は多くの所定の基準に従いこの管理情報の評価を行い、評価された管理情報に対応した歌の適応選択をランダムアクセスメモリ３４に格納することにより記憶する。
【００５５】
本発明装置の好ましい実施形態によれば、マイクロプロセッサ３２は、デフォルトである又は使用者が課した階層の順序に、適応選択をした歌を分類し、分類した歌のリストをランダムアクセスメモリ３４に記憶させる。
【００５６】
使用者３５のコマンドに従い、マイクロプロセッサ３２は、適応選択の歌又は分類リストからの歌が再生手段３３によりマスメモリ３０から再生されるようにプレーヤ／レコーダ２８を動作させる。
【００５７】
本発明に基づく装置の好ましい実施形態によれば、磁気テープ２９は、一時メモリ３６の媒体でもある。使用者３５は、例えば光ディスク／リーダ３７から新しい歌をコピーすることにより新しい歌を選択し、一時的に一時メモリ３６に記録する。これら新しい歌を管理するための新しい管理情報は、マイクロプロセッサ３２により管理メモリ３１及び／又はランダムアクセスメモリ３４に加えられる。マイクロプロセッサ３２は、特に、新しい歌が一時メモリ３６から読み出された時、又は一時メモリ３６の内容が変更された時、新しい管理情報を変更し、この新しい管理情報をランダムアクセスメモリ３４及び／又は管理メモリ３１に記憶する。マイクロプロセッサ３２は、関心のある１つ又は多くの所定の基準に基づき新しい管理情報を例えば周期的に評価し、新しい歌の実際の選択を行う。実際の選択は、マイクロプロセッサ３２によりランダムアクセスメモリ３４に記憶される。ランダムアクセスメモリ３４は、転送の目的で、マイクロプロセッサ３２により使用される。実際には、マイクロプロセッサ３２は、実際の選択による新しい歌を一時メモリ３６からマスメモリ３０にコピーし、コピーされた新しい歌を一時メモリ３６から消去する。ランダムアクセスメモリ３４は、新しい歌をコピーする間、バッファメモリとしても使用することができる。
【００５８】
本発明による装置の実施形態として、磁気テープは、多数の管理メモリ（図示していない）を保持できる。使用者３５は、例えば当人を特定することにより、マイクロプロセッサ３２を介して、１つの管理メモリを選択する。選択された管理メモリは、当人が歌を聞いた行動を反映するパラメータ情報を含んでいる。
【００５９】
図６に示す、本発明装置の好ましい実施形態では、歌はマスメモリ３０にシーケンシャルに記憶され、マイクロプロセッサ３２はランダムアクセスメモリ３４に記憶された分類リストを使用して、マスメモリ内の歌の新しい配列を決定する。マイクロプロセッサ３２は、まず、マスメモリの新しい配列により関係づけられた歌を例えばランダムアクセスメモリ３４である再編成メモリ内にコピーし、分類されたリストに基づいて、シーケンシャルな順序の歌を再編成メモリからマスメモリにコピーする。一般に、マスメモリ内に新しく配列されたセットに対する読み出しのアクセス時間は、これらの歌の最初の配列の場合に比較して、改善される。
【図面の簡単な説明】
【００６０】
【図１】適応選択を行う方法の構成図を示す。
【図２】本発明に基づく適応選択を行う方法から評価のステップの構成図を示す。
【図３】本発明に基づく適応選択を行う方法から分類のステップを示す構成図を示す。
【図４】本発明に基づく適応選択を行う方法の実施形態を示す構成図を示す。
【図５】マスメモリ内にデータのセットを配列する方法の概略を示す。
【図６】適応選択を行う装置を示す。
【符号の説明】
【００６１】
１  適応選択を行う方法
２  データのセットの管理情報の変更
３、３０  マスメモリ
４、３１  管理メモリ
５  変更された管理情報の記憶
６  歌を聞いた日付けと時間
７  少なくとも管理情報の一部の評価
８  初期化ステップ
９  増分ステップ
１０  比較ステップ
１１  分析ステップ
１２  仮の選択
１３  ループ
１４  コピーステップ
１５、１６  歌を階層の順序に分類するステップ
１７  分類されたリスト
１８  変更ステップ
１９、３６  一時メモリ
２０  記憶ステップ
２１  評価ステップ
２２  実際の選択
２３  転送ステップ
２４  供給ステップ
２５  外部メモリ
２６Ａ  データのセットのシーケンシャルな配置の順序
２６Ｂ  データのセットの配置の順序
２８  プレーヤ／レコーダ
２９  磁気テープ
３２  マイクロプロセッサ
３３  再生手段
３４  ランダムアクセスメモリ
３５  使用者
３７  一体型光ディスク／リーダ
【図１】
2007059053.tif 000004
【図２】
2007059053.tif 000005
【図３】
2007059053.tif 000006
【図４】
2007059053.tif 000007
【図５】
2007059053.tif 000008
【図６】
2007059053.tif 000009